(57)【要約】【課題】軟質被膜の柔軟性に富んで充分に平滑な表面の特性を滑り止めとして作用させ、安定して確実に滑り止め効果を発揮すると共に、軟質被膜の発揮するクッション作用により、容器本体の脚部を機械的に保護することを目的とする。【解決手段】内容物を収納保持する容器本体１の脚部２に、少なくともこの脚部２の接地面部を覆って、柔軟性に富んで表面が充分に平滑な軟質被膜３を被覆形成し、軟質被膜３により滑り止め効果と、機械的な保護効とを発揮する。【選択図】図１
2005075405.tif 000002
【特許請求の範囲】
【請求項１】
内容物を収納保持する容器本体(1)の脚部(2)に、少なくとも該脚部(2)の接地面部を覆って、柔軟性に富んで表面が充分に平滑な軟質被膜(3)を被覆形成して成る合成樹脂製容器。
【請求項２】
軟質被膜(3)を、塗布により成形された塗膜で構成した請求項１記載の合成樹脂製容器。
【発明の詳細な説明】
【技術分野】
【０００１】
本発明は、載置面上での不要な滑りの発生を防止した合成樹脂製容器に関するものである。
【背景技術】
【０００２】
合成樹脂製容器は、軽量で大型とすることが容易であり、かつ高い耐衝撃性を有する、と云う特性を利用して多方面の容器として大量に利用されている。
【０００３】
この合成樹脂製容器は、大きさの割に重量が小さく、かつ表面が平滑である、と云う特徴を有するため、載置面上で滑り変位し易い、と云う問題があった。
【０００４】
すなわち、例えば合成樹脂製ブロー成形壜体容器の場合、底部の中央部分を内方に球弧状に陥没させ、この球弧状に陥没した部分の周端部分を接地部とし、これにより安定した自立性を得るようにしているのであるが、接地部の載置面に対する接触が略線接触であるので、容器と載置面との接触面積が小さく、載置面との間の摩擦抵抗が小さいので、滑り易いことになっていた。
【特許文献１】特開平１１−１１５９２３号公報
【０００５】
このように、合成樹脂製容器は滑り変位し易いので、載置面上に置いた状態での安定性が乏しくなり勝ちとなり、取扱いが不便となったり、必要以上に注意を要する、と云う不満があった。
【発明の開示】
【発明が解決しようとする課題】
【０００６】
そこで、本発明は、上記した従来技術における問題点を解消すべく創案されたもので、柔軟性に富んで表面が充分に平滑な軟質被膜の表面特性を滑り止めとして作用させることを技術的課題とし、もって安定して確実に滑り止め効果を発揮すると共に、軟質被膜の発揮するクッション作用により、容器本体の脚部を機械的に保護することを目的とする。
【課題を解決するための手段】
【０００７】
上記技術的課題を解決する本発明の内、請求項１記載の発明に手段は、
内容物を収納保持する容器本体の脚部に、少なくともこの脚部の接地面部を覆って、柔軟性に富んで表面が充分に平滑な軟質被膜を被覆形成すること、
にある。
【０００８】
この請求項１記載の発明にあっては、柔軟性に富んで表面が充分に平滑な軟質被膜の表面特性により、載置面に対して滑り止め作用を発揮するので、容器本体は載置面上に、妄りに滑り変位することなく、安定して位置する。
【０００９】
また、軟質被膜は、その柔軟性に伴う弾性によりクッション作用を発揮することができるのであるが、この軟質被膜は、脚部の接地部を覆って位置しているので、常に容器本体の全重量を受け止める状態となり、これにより上記したクッション作用を常に発揮して、容器本体の脚部に作用する衝撃に対して、保護効果を有効に発揮する。
【００１０】
さらに、軟質被膜は、柔軟性に富んで変形し易いので、他の物品と引っ掛かることが少なく、それゆえ引っ掛かりにより疵が付くことが殆どなく、例え疵付いたとしても、軟質被膜自体の柔らかさにより、疵を塞いでしまう。
【００１１】
請求項２記載の発明は、請求項１記載の発明の構成に、軟質被膜を、塗布により成形された塗膜で構成したこと、を加えたものである。
【００１２】
この請求項２記載の発明にあっては、軟質被膜を塗布成形することができるので、軟質被膜の成形および、軟質被膜の脚部に対する組付けがきわめて容易となり、さらに脚部に、軟質被膜を組付けるための特別な構造部分を設ける必要がない。
【発明の効果】
【００１３】
本発明は、上記した構成となっているので、以下に示す効果を奏する。
請求項１記載の発明にあっては、軟質被膜の載置面に対する滑り止め作用により、容器本体を載置面上に、妄りに滑り変位することなく、安定して位置させることができ、これにより容器の安全な取扱いを得ることができる。
【００１４】
また、軟質被膜は、クッション作用を常に発揮して、容器本体の脚部に作用する衝撃に対して、保護効果を有効に発揮するので、取扱い時の衝撃により、最も衝撃力の作用する脚部が破壊するのを効果的に防止することができる。
【００１５】
さらに、軟質被膜の柔軟性に富んで変形し易い物性により、脚部の接地部分を擦りから保護すると共に、細かい擦り疵による外観体裁の低下を防止する。
【００１６】
請求項２記載の発明にあっては、軟質被膜の成形および、軟質被膜の脚部に対する組付けがきわめて容易となり、また軟質被膜を組付けるために脚部の構造を複雑化する必要がない。
【発明を実施するための最良の形態】
【００１７】
以下、本発明の実施形態を、図面を参照しながら説明する。
図１は、本発明の第１の実施形態を示すもので、ブロー成形壜体（例えば、ＰＥＴ製２軸延伸ブロー成形壜体）である容器本体１は、上端に肩部を介して口筒部を連設した胴部の上半部の後側に、予め一定形状に成形されている把手をインサート成形により強固に組付け、胴部の下端を閉鎖する底部の中央部分を、球弧状に内部に陥没させて、この底部の周囲に脚部２を形成している。
【００１８】
この容器本体１の脚部２の、接地面が位置する下側面部分には、この下側面を覆って軟質被膜３が塗布成形されている。
【００１９】
軟質被膜３は、柔軟性に富んで表面が充分に平滑であることにより、ソフトな質感としっとり感とを有する塗料、例えば二液型高弾性ウレタン系塗料（商品名、ラ・フィール＃２００）を用いて塗布成形されているが、これに特定されるものではない。
【００２０】
この図１に示した第１の実施形態にあっては、把手を持って容器本体１を取扱った後に、この容器本体１をテーブル上に置く際に、容器本体１はその姿勢が斜めとなるが、軟質被膜３がテーブルに対する容器本体１の滑りを防止するので、面倒なく起立姿勢に置くことができる。
【００２１】
図２は、本発明の第２の実施形態を示すもので、柔らかいクリーム状の内容物を収納した容器本体１は、その口筒部に、ポンプ５を取付けたネジキャップである蓋体４を組付けてポンプ付き容器を構成し、容器本体１の底面の周端縁に突周設された脚部２の、接地面を含む下側面を覆って軟質被膜３が塗布成形されている。
【００２２】
この図２に示した第２の実施形態にあっては、ポンプ５を操作する押し下げ力が加わることにより、軟質被膜３は、載置面に対する容器本体１の滑り難さをより強めることになり、これによりポンプ５の使用時における容器本体１の姿勢安定程度をより高めている。
【００２３】
図３は、本発明の第３の実施形態を示すもので、マーガリンやバターさらにはヨーグルト等を収容する薄肉のカップ状容器が容器本体１となっており、容器本体１の下面周端に円弧状に膨出成形された脚部２の下面全域を覆って軟質被膜４が被覆成形されていると共に、容器本体１の開口部には、嵌め込み式の蓋体４が組付けられている。
【００２４】
この図３に示した第３の実施形態にあっては、内容物を、一方の手で、スプーン等の用具を用いて取り出し、そのまま他方の手に持ったトースト等に塗り付ける、と云う使用形態に適正に対応することができる。
【００２５】
また、図３に示したカップ状容器に外観形状が似ている、一般にはクリーム容器として利用されることの多い広口容器も、脚部に対しては、図３に示した実施例と略同じ構成で軟質被膜４を被覆形成することができる。
【００２６】
図４は、本発明の第４の実施形態を示すもので、コンパクト容器の、複数の化粧料とハケ等の化粧用具を収納した薄箱型の本体部を容器本体１とし、この容器本体１に蓋体４を蝶番結合し、容器本体１に下面全域である、もしくは下面の周端縁に突周設された突部を脚部２とし、この脚部２に軟質被膜３を塗布により被覆形成して構成されている。
【００２７】
この図４に示した第４の実施形態にあっては、載置面上に、使用に適した開角度で蓋体４を開いて載置し、そのままハケ等の用具で化粧料を拭き取っても、容器本体１はその姿勢を安定して不動に保持するので、好ましい状態で化粧を行うことが可能となる。
【図面の簡単な説明】
【００２８】
【図１】本発明の第１の実施形態を示す、一部拡大した側面図である。
【図２】本発明の第２の実施形態を示す、一部拡大した側面図である。
【図３】本発明の第３の実施形態を示す、一部拡大した半縦断面図である。
【図４】本発明の第４の実施形態を示す、一部拡大した斜視図である。
【符号の説明】
【００２９】
１    ；  容器本体
２    ；  脚部
３    ；  軟質被膜
４    ；  蓋体
５    ；  ポンプ
【図１】
2005075405.tif 000003
【図２】
2005075405.tif 000004
【図３】
2005075405.tif 000005
【図４】
2005075405.tif 000006